(57)【要約】【課題】仮設足場等の足場において使用される楔緊結装置を提供する。【解決手段】顎金具(15)の上顎部と下顎部の間に形成された受入部(20)にフランジ(13)を進入させた状態で、上下顎部の挿通孔(21)(22)とフランジの緊結孔(14)に挿通された楔部材(16)を打ち込んで緊結位置(P2)まで下動させ、該楔部材の楔部を緊結孔の接支縁部(14a)と挿通孔の受縁部(21a)(22a)の間に圧入することにより、顎金具の先端の当接部(18a)(19a)を支柱に当接させる構成において、受入部(20)に対するフランジ(13)の進入を妨げないように楔部材(16)を受入部の上方に退避させた位置を退避位置(P0)として、楔部材を該退避位置で保持する弾発保持部(30)を備えたスプリング手段(26)を設けており、前記弾発保持部(30)の保持力は、楔部材の自重による下降は阻止するが、外力による楔部材の上下動は許すように構成されている。【選択図】図２
2020020127.tif 000002
【特許請求の範囲】
【請求項１】
支柱に固設されたフランジと連結部材に固設された顎金具を連結する緊結装置であり、
顎金具の上顎部と下顎部の間に形成された受入部にフランジを進入させた状態で、上下顎部の挿通孔とフランジの緊結孔に挿通された楔部材を打ち込んで緊結位置まで下動させ、該楔部材の楔部を緊結孔の接支縁部と挿通孔の受縁部の間に圧入することにより、顎金具の先端の当接部を支柱に当接させる構成において、
受入部(20)に対するフランジ(13)の進入を妨げないように楔部材(16)を受入部の上方に退避させた位置を退避位置(P0)として、楔部材を該退避位置で保持する弾発保持部(30)を備えたスプリング手段(26)を設けており、
前記弾発保持部(30)の保持力は、楔部材の自重による下降は阻止するが、外力による楔部材の上下動は許すように構成されて成ることを特徴とする足場における楔緊結装置。
【請求項２】
前記スプリング手段(26)は、弾発保持部(30)を上顎部(18)の挿通孔(21)の内部に位置させると共に、楔部材(16)を支柱の中心に向かう前向き方向Ｘ１に弾発付勢し、前記挿通孔(21)の受縁部(21a)に弾接させることにより保持する前進スプリング手段(26A)により構成されて成ることを特徴とする請求項１に記載の足場における楔緊結装置。
【請求項３】
前記スプリング手段(26)は、弾発保持部(30)を上顎部(18)の挿通孔(21)の内部に位置させると共に、楔部材(16)の側面に向かう当接方向Ｙに弾発付勢して挟持することにより保持する挟持スプリング手段(26B)により構成されて成ることを特徴とする請求項１に記載の足場における楔緊結装置。
【請求項４】
楔部材(16)は、楔部(23)に間隔をあけて並設された枝部(16B)を有し、前記枝部は、楔部を緊結孔に臨ませた状態でフランジ(13)の外側に位置すると共に、楔部を退避位置(P0)と緊結位置(P2)の何れに位置させたときでもフランジ(13)よりも下方に延びるように楔部よりも長く形成され、該枝部(16B)の下端部により被殴打部(42)を構成しており、
前記スプリング手段(26)の弾発保持部(30)により前記枝部(16B)を弾発付勢することにより、楔部材を退避位置(P0)に保持するように構成されて成ることを特徴とする請求項１、２又は３に記載の足場における楔緊結装置。
【請求項５】
顎金具(15)は、連結部材(12)に固設される筒部(17)から上顎部(18)と下顎部(19)を延設し、上下顎部の間に受入部(20)を形成して成る構成において、
前記スプリング手段(26)は、前記筒部(17)に収納された固定状態の固定部(27)から上顎部の挿通孔に向けて延びるアーム部(29)を備え、該アーム部の先端に弾発保持部(30)を設けて成ることを特徴とする請求項１、２、３又は４に記載の足場における楔緊結装置。
【発明の詳細な説明】
【技術分野】
【０００１】
本発明は、仮設足場等の足場において使用される楔緊結装置に関する。
【背景技術】
【０００２】
従来、構築と解体を行う仮設足場において、楔緊結装置が提供されている。例えば、図１に示すように、支柱１と横架材等の連結部材２を着脱自在に連結するための装置として、支柱１の長手方向に間隔をあけて固設したフランジ３に設けた緊結孔４に対して、連結部材２の端部に固設した顎金具５を楔部材６により緊結するように構成した楔緊結装置が公知である。
【０００３】
顎金具５は、上下顎部５ａ、５ｂの間に受入部９形成すると共に、上下顎部５ａ、５ｂにそれぞれ上側の挿通孔７と下側の挿通孔８を設けており、受入部９にフランジ３を進入させたとき、フランジの緊結孔４と上下顎部の挿通孔７、８を上下方向に連通させるように形成されている。
【０００４】
楔部材６は、前記の各孔に挿通自在な厚さの盤状体より形成され、腹部６ａと背部６ｂの間の幅寸法を下方に向けて次第に幅狭とするように形成されている。
【０００５】
そこで、楔部材６を上から下に向けて上顎５ａの挿通孔７とフランジ３の緊結孔４と下顎５ｂの挿通孔８に挿通させた状態で、ハンマー等により殴打して下動させると、楔部材６が緊結孔４の接支縁部４ａと挿通孔７、８の受縁部７ａ、８ａの間に圧入され、接支縁部４ａと受縁部７ａ、８ａの間隔を押し広げながら、顎金具５を押動させることにより、上下顎部５ａ、５ｂの先端部を支柱の表面に圧接状態で当接する。これにより、フランジ３と楔部材６と顎部材５と支柱１の相互間における緊結状態が得られる。
【０００６】
そして、この緊結状態において、下顎５ｂの挿通孔８から挿出された楔部材６の下端部をハンマー等により殴打して上動させると、緊結状態が解除される。
【先行技術文献】
【特許文献】
【０００７】
【特許文献１】特開２０１８−７１１９６号公報
【発明の概要】
【発明が解決しようとする課題】
【０００８】
上述の緊結作業を行うためには、先ず、顎金具５をフランジ３の側方に臨ませた状態からフランジ３に向けて横方向に移動させ、受入部９にフランジ３を進入させることが必要である。このとき、楔部材６が受入部９の内部に位置している場合は、フランジ３を受入部９に進入させることができない。このため、図１（Ａ）に示すように、作業者の指先等で楔部材６を退避位置Ｐ０に持ち上げることにより受入部９を開放状態とし、楔部材６を保持した状態で顎部材５をフランジ３に向けて横方向に移動させなければならない。
【０００９】
受入部９にフランジ３を進入させ、楔部材６をフランジの緊結孔４に臨ませた状態で、指先等による保持から解放すれば、楔部材６は、自重で下降して待機位置Ｐ１で停止するので、引き続きハンマー等による殴打により、緊結位置Ｐ２まで下動させれば良い。
【００１０】
足場の構築は、多数の個所において、緊結作業を行うことが必要である。顎金具５は連結部材２と一体化された重量物を構成しているので、これをフランジ３に臨むように位置決めして横方向に移動させることは重労働であり、しかも、その作業中、楔部材６を退避位置Ｐ０に持ち上げた状態で保持し続けなければならないことを求めるのは、作業者に酷である。
【００１１】
足場の解体の場合も同様であり、緊結状態が解除された楔部材６を退避位置Ｐ０に持ち上げ、顎部材５の受入部９からフランジ３が抜き出されるまで、持ち上げ状態を保持する必要がある。
【００１２】
このため、本発明は、顎金具の受入部にフランジを進入させる際、その進入が妨げられないように受入部の上方に退避させた楔部材をその退避位置で保持できるように構成すると共に、フランジを受入部に進入させた後は、保持された状態の楔部材を緊結位置まで下動可能とするように構成した楔緊結装置を提供するものである。
【課題を解決するための手段】
【００１３】
そこで、本発明が手段として構成したところは、支柱に固設されたフランジと連結部材に固設された顎金具を連結する緊結装置であり、顎金具の上顎部と下顎部の間に形成された受入部にフランジを進入させた状態で、上下顎部の挿通孔とフランジの緊結孔に挿通された楔部材を打ち込んで緊結位置まで下動させ、該楔部材の楔部を緊結孔の接支縁部と挿通孔の受縁部の間に圧入することにより、顎金具の先端の当接部を支柱に当接させる構成において、受入部に対するフランジの進入を妨げないように楔部材を受入部の上方に退避させた位置を退避位置として、楔部材を該退避位置で保持する弾発保持部を備えたスプリング手段を設けており、前記弾発保持部の保持力は、楔部材の自重による下降は阻止するが、外力による楔部材の上下動は許すように構成されて成る点にある。
【００１４】
本発明の１実施形態によれば、前記スプリング手段は、弾発保持部を上顎部の挿通孔の内部に位置させると共に、楔部材を支柱の中心に向かう前向き方向に弾発付勢し、前記挿通孔の受縁部に弾接させることにより保持する前進スプリング手段により構成することができる。
【００１５】
本発明の別の実施形態によれば、前記スプリング手段は、弾発保持部を上顎部の挿通孔の内部に位置させると共に、楔部材の側面に向かう当接方向に弾発付勢して挟持することにより保持する挟持スプリング手段により構成することができる。
【００１６】
本発明の更に別の実施形態によれば、楔部材は、楔部に間隔をあけて並設された枝部を有し、前記枝部は、楔部を緊結孔に臨ませた状態でフランジの外側に位置すると共に、楔部を退避位置と緊結位置の何れに位置させたときでもフランジよりも下方に延びるように楔部よりも長く形成され、該枝部の下端部により被殴打部を構成しており、前記スプリング手段の弾発保持部により前記枝部を弾発付勢することにより、楔部材を退避位置に保持するように構成することができる。
【００１７】
本発明の好ましい実施形態によれば、顎金具は、連結部材に固設される筒部から上顎部と下顎部を延設し、上下顎部の間に受入部を形成して成る構成において、前記スプリング手段は、前記筒部に収納された固定状態の固定部から上顎部の挿通孔に向けて延びるアーム部を備え、該アーム部の先端に弾発保持部を設けている。
【発明の効果】
【００１８】
本発明によれば、顎金具１５の受入部２０にフランジ１３を進入させる際、受入部２０が開放されるように楔部材１６を退避位置Ｐ０に退避させれば、楔部材１６は、スプリング手段２６の弾発保持部３０により退避位置Ｐ０に保持されるので、受入部２０にフランジ１３を進入させる作業が容易となる。そして、スプリング手段２６による弾発保持部３０の保持力は、楔部材１６の自重による下降は阻止するが、外力による楔部材１６の上下動は許すように構成されているので、楔部材１６を保持状態のままハンマーの殴打等により緊結位置Ｐ２まで下動させ、簡単容易に緊結状態を形成することができる。
【図面の簡単な説明】
【００１９】
【図１】従来技術を示しており、（Ａ）は顎金具の受入部にフランジを進入させた状態を示す断面図、（Ｂ）は楔部材を打ち込んだ後の緊結状態を示す断面図である。
【図２】本発明の第１実施形態に関して、相互に離間させられた支柱のフランジと、楔部材を備えた連結部材の顎金具を分離させた状態を示す斜視図である。
【図３】第１実施形態に関して、フランジを顎金具の受入部に進入させ、楔部材を打ち込むことにより緊結させた状態を示す斜視図である。
【図４】第１実施形態に関して、（Ａ）は楔部材を示す斜視図、（Ｂ）はスプリング手段を示す斜視図である。
【図５】第１実施形態に関して、顎金具と楔部材とスプリング手段を示す斜視図である。
【図６】第１実施形態に関して、楔部材を退避位置に保持した状態で、顎金具の受入部をフランジに臨ませた状態を示す断面図である。
【図７】第１実施形態に関して、楔部材を退避位置に保持した状態で、顎金具の受入部にフランジを進入させた状態を示す断面図である。
【図８】第１実施形態に関して、顎金具の受入部にフランジを進入させた状態で、楔部材を下動させた状態を示す断面図である。
【図９】第１実施形態に関して、顎金具の受入部にフランジを進入させた状態で、楔部材を緊結位置まで下動させた緊結状態を示す断面図である。
【図１０】本発明の第２実施形態に関して、相互に離間させられた支柱のフランジと、楔部材を備えた連結部材の顎金具を分離させた状態を示す斜視図である。
【図１１】第２実施形態に関して、フランジを顎金具の受入部に進入させ、楔部材を打ち込むことにより緊結させた状態を示す斜視図である。
【図１２】第２実施形態に関して、（Ａ）は楔部材を示す斜視図、（Ｂ）はスプリング手段を示す斜視図である。
【図１３】第２実施形態に関して、顎金具と楔部材とスプリング手段を示す斜視図である。
【図１４】第２実施形態に関して、楔部材を退避位置に保持した状態で、顎金具の受入部をフランジに臨ませた状態を示す断面図である。
【図１５】第２実施形態に関して、楔部材を退避位置に保持した状態で、顎金具の受入部にフランジを進入させた状態を示す断面図である。
【図１６】第１実施形態に関して、顎金具の受入部にフランジを進入させた状態で、楔部材を緊結位置まで下動させた緊結状態を示す断面図である。
【図１７】本発明の第３実施形態に関して、相互に離間させられた支柱のフランジと、楔部材を備えた連結部材の顎金具を分離させた状態を示す斜視図である。
【図１８】第３実施形態に関して、フランジを顎金具の受入部に進入させ、楔部材を打ち込むことにより緊結させた状態を示す斜視図である。
【図１９】第３実施形態に関して、顎金具と楔部材とスプリング手段を示す斜視図である。
【図２０】第３実施形態に関して、楔部材を退避位置に保持した状態で、顎金具の受入部をフランジに臨ませた状態を示す断面図である。
【図２１】第３実施形態に関して、顎金具の受入部にフランジを進入させた状態で、楔部材を緊結位置まで下動させた緊結状態を示す断面図である。
【発明を実施するための形態】
【００２０】
以下図面に基づいて本発明の好ましい実施形態を詳述する。
【００２１】
（第１実施形態）
図２ないし図９は、本発明の第１実施形態に係る楔緊結装置を示している。
【００２２】
（基本的構成）
先ず、「基本的構成」を説明する。図示のように、楔緊結装置は、例えば仮設足場における支柱１１と横架材等の連結部材１２を着脱自在に連結するための装置であり、支柱１１の長手方向に間隔をあけて固設したフランジ１３に設けた緊結孔１４に対して、連結部材１２の端部に固設した顎金具１５を楔部材１６により緊結するように構成されている。
【００２３】
顎金具１５は、連結部材１２に固設される筒部１７から上顎部１８と下顎部１９を延設することにより、上下顎部の間に受入部２０を形成しており、上下顎部にそれぞれ上側の挿通孔２１と下側の挿通孔２２を設けており、受入部２０にフランジ１３を進入させたとき、フランジの緊結孔１４と上下顎部の挿通孔２１、２２を上下方向に連通させるように形成されている。尚、上顎部１８と下顎部１９の先端には、支柱１１の周面に沿う円弧面により形成された当接部１８ａ、１９ａが設けられている。
【００２４】
楔部材１６は、前記の各孔２１、１４、２２に挿通自在な厚さの盤状体より形成され、上下方向の中間部により楔部２３を構成し、該楔部２３の上下に頭部２４と脚部２５を設けており、前記楔部２３は、腹部２３ａと背部２３ｂの間の幅寸法を下方に向けて次第に幅狭とするように形成されている。この際、腹部２３ａは、支柱１１の軸線に平行となるように形成され、これに対して背部２３ｂが傾斜するように形成されている。前記頭部２４と脚部２５の側面には、それぞれ、例えばリベットの頭部により形成された突起２４ａ、２５ａが設けられている。
【００２５】
図９に基づいて後述するように、顎金具１５の受入部２０にフランジ１３を進入させ、フランジの緊結孔１４の上下に上下顎部１８、１９の挿通孔２１、２２を臨ませ、これらの孔に楔部材１６を上から下に向けて挿通させた状態で、ハンマー等により殴打して下動させると、楔部材１６が緊結孔１４の接支縁部１４ａと挿通孔２１、２２の受縁部２１ａ、２２ａの間に圧入され、接支縁部４ａと受縁部２１ａ、２２ａの間隔を押し広げながら、顎金具１５を支柱１１に向けて前進移動させることにより、上下顎部１８、１９の当接部１８ａ、１９ａを支柱１１の表面に圧接状態で当接させる。これにより、フランジ１３と楔部材１６と顎部材１５と支柱１１の相互間における緊結状態が得られる。
【００２６】
そして、この緊結状態から、ハンマーによる殴打等により楔部材１６を上動させると、緊結状態が解除される。
【００２７】
以上の「基本的構成」は、上述した従来技術の構成と概ね同様である。このような構成において、本発明は、顎金具１５にスプリング手段２６を設けている。
【００２８】
（スプリング手段の構成）
スプリング手段２６は、板バネを折曲することにより形成されており、顎金具１５の筒部１７の内側底部１７ａに固定される固定部２７と、該固定部２７から折曲され起立する起立部２８と、該起立部２８から折曲され上側の挿通孔２１に向けて延びるアーム部２９を備え、該アーム部２９の先端に弾発保持部３０を設けている。
【００２９】
前記固定部２７と起立部２８とアーム部２９により略コ字形に折曲されたスプリング手段２６は、固定部２７を筒部１７の内側底部１７ａにボルト・ナット等の固着具３１で固着することにより、筒部１７の内部空間（図例の場合は、筒部の内部と連結部材の内部にまたがる空間）に収納された状態で固定されている。
【００３０】
前記弾発保持部３０は、アーム部２９の先端部にボルト・ナット等の固着具３２で固着された保持金具３３により構成され、該保持金具３３は、楔部材１６の背部に当接させられる押動部３４から楔部材１６の側面に向けて延びる縦板状の保持片３５を延設し、該保持片３５の下縁に切欠き凹状の受止め部３５ａを形成している。
【００３１】
上述のようにスプリング手段２６を筒部１７の内部空間に装着した状態で、弾発保持部３０を構成する保持金具３３は、上側の挿通孔２１の内部に位置させられる。図示のように、上顎部１８は、フランジ１３の上面に載置可能な座面１８ｂを備えた下向きの膨隆部と共に挿通孔２１を形成しているので、保持金具３３は、座面１８ｂと挿通孔２１の上部開口との間に収納された状態で設置される。
【００３２】
従って、スプリング手段２６及び保持金具３３は、顎金具１５の外部に露出することなく内部に保護された状態で装着され、しかも、フランジ１３の進入を受ける受入部２０の内部に位置してフランジに干渉することがないように装着されている。
【００３３】
そして、第１実施形態の場合、上側の挿通孔２１から支柱１１の中心に向かう前向き方向Ｘ１と、その反対方向となる後向き方向Ｘ２に関して、スプリング手段２６は、保持金具３３の押動部３４を楔部材１６の背部に弾接することにより、楔部材１６を前向き方向Ｘ１に弾発付勢し、該挿通孔２１の受縁部２１ａに弾接させることにより保持する前進スプリング手段２６Ａを構成している。
【００３４】
（作用）
図６ないし図９は、第１実施形態に係る楔緊結装置により緊結を行うための方法と作用を示している。
【００３５】
図６は、顎金具１５をフランジ１３の側方に臨ませた状態を示している。この際、楔部材１６は、退避位置Ｐ０に持ち上げられた状態で、スプリング手段２６により保持されている。
【００３６】
スプリング手段２６は、保持金具３３の押動部３４を楔部材１６の背部に弾接することにより前向き方向Ｘ１に弾発付勢しており、楔部材１６は、腹部を上側の挿通孔２１の受縁部２１ａに弾接した状態で保持されている。
【００３７】
スプリング手段２６による保持金具３３の弾発保持力は、楔部材１６の自重による下降は阻止するが、外力による楔部材１６の上下動は許すように構成されている。
【００３８】
従って、保持された状態の楔部材１６は、作業者が指先等で持ち上げることができ、その際、楔部材１６の脚部２５の突起２５ａが保持金具３３の受止め部３５ａに当接して受止められる。第１実施形態の場合、この位置が楔部材１６の退避位置Ｐ０とされている。第１実施形態の場合、楔部材１６は、脚部２５の下端を受入部２０の上面（座面１８ｂ）よりも受入部２０の内部に突出させているが、該脚部２５の下端から受入部２０の下面（下顎部１９の上面）までの距離Ｌは、フランジ１３の厚さＴよりも大きく、Ｌ＞Ｔとするように設定されており、これによりフランジ１３を受入部２０に進入可能とするように構成している。
【００３９】
このように、本発明において、楔部材１６の退避位置Ｐ０とは、受入部２０に対するフランジ１３の進入を妨げないように上方に退避した楔部材１６の位置のことであり、図６に示すように、フランジの進入を妨げない範囲で脚部２５の下端が受入部２０に進入している場合を含む意味であることを諒解されたい。
【００４０】
そこで、図７に示すように、顎金具１５をフランジ１３の側方に臨ませた状態からフランジ１３に向けて横方向に移動させると、フランジ１３が受入部２０に進入し、顎金具１５の座面１８ｂをフランジ１３の上面に載置すると、楔部材１６の脚部２５の下端が緊結孔１４に進入する。
【００４１】
従って、顎金具１５は、座面１８ｂを載置することにより、フランジ１３に位置決め状態で仮置きすることができる。この際、楔部材１６の脚部２５の下端が緊結孔１４に進入させられ、座面１８ｂがフランジ１３から滑り落ちることを防止するので、安定した仮置き状態が可能となる。
【００４２】
この状態から、楔部材１６を下動すると、楔部材１６は、図８に示す待機位置Ｐ１を経て、図９に示す緊結位置Ｐ２まで下降し、楔緊結を行う。楔部材１６が下降するとき、図８に示すように、保持金具３３は、楔部材１６の背部２３ｂにより押動され、スプリング手段２６の弾性変形により後向き方向Ｘ２に後退する。
【００４３】
楔部材１６の下動は、退避位置Ｐ０に保持された楔部材１６の頭部２４をハンマーで殴打等することにより緊結位置Ｐ２まで下動させても良く、或いは、退避位置Ｐ０に保持された楔部材１６を指先等で待機位置Ｐ１まで下降させ、その後に頭部２４をハンマーで殴打等することにより緊結位置Ｐ２まで下動させても良い。
【００４４】
退避位置Ｐ０から緊結位置Ｐ２まで下動させられる間、楔部材１６は、スプリング手段２６の保持金具３３に弾発付勢された状態で所定姿勢を保持しており、ガタツキ等により傾くことはないので、ハンマーによる殴打を容易とする。
【００４５】
図９に示すように、緊結位置Ｐ２まで下動させられた楔部材１６は、楔部２３を緊結孔１４の接支縁部１４ａと挿通孔２１、２２の受縁部２１ａ、２２ａの間に圧入することにより、顎金具１５の当接部１８ａ、１９ａを支柱１１の表面に圧接状態で当接する。これにより、フランジ１３と楔部材１６と顎金具１５と支柱１１の相互における緊結状態が形成される。
【００４６】
尚、足場の解体等に際しては、脚部２５の下端をハンマー等により殴打して楔部材１６を上動させれば、緊結状態を解除することができる。
【００４７】
（第２実施形態）
図１０ないし図１６は、本発明の第２実施形態に係る楔緊結装置を示している。
【００４８】
（基本的構成）
第２実施形態の基本的構成は、第１実施形態の「基本的構成」について上述した構成と概ね同様であるから、同様の構成部分は上記と同一符号を付して図示しており、上述の説明を援用することにより、重複する説明を省略する。
【００４９】
（スプリング手段の構成）
スプリング手段２６は、一対の板バネ２６ａ、２６ａを相互に間隔を介して合掌させることにより形成されており、顎金具１５の筒部１７に近傍する位置で、連結部材１２の端部に固設された軸部材３６に取着される。
【００５０】
前記軸部材３６は、連結部材１２の直径方向に貫通した状態で固設されており、前記一対の板バネ２６ａ、２６ａは、前記軸部材３６を両側から抱持する固定部２７ａ、２７ａをボルト・ナット等の締結具３７で締結している。従って、固定部２７ａ、２７ａは、軸部材３６を挟着することにより、筒部１７の内部空間（図例の場合は、筒部の内部と連結部材の内部にまたがる空間）に収納された状態で固定されている。板バネ２６ａ、２６ａは、固定部２７ａ、２７ａから上側の挿通孔２１に向けて延びるアーム部２９ａ、２９ａを延設しており、該アーム部２９ａの先端に設けられたパドル部３８により弾発保持部３０を構成している。
【００５１】
第２実施形態の場合、弾発保持部３０を構成する一対のパドル部３８、３８は、楔部材１６の両側面に向かう当接方向Ｙ１と、その反対方向となる離反方向Ｙ２に関して、アーム部２９ａ、２９ａの弾性により、楔部材１６を当接方向Ｙ１に弾発付勢して挟持するように構成されており、これにより、スプリング手段２６は、挟持スプリング手段２６Ｂを構成している。
【００５２】
図示のように、前記パドル部３８は、上縁に円弧凹状の嵌合部３９ａを形成すると共に、該嵌合部３９ａがパドル部３８の外側方に張り出すように円弧縁を外向きに変形させたリブ３９ｂを設けている。従って、図１２（Ｂ）に示すように、パドル部３８は、内側面に楔部材１６の側面に弾接される弾接面３９ｃを形成し、該弾接面３９ｃからリブ３９ｂを介して外側方に突出偏位された位置に嵌合部３９ａを形成している。
【００５３】
上記のように、挟持スプリング手段２６Ｂは、固定部２７ａ、２７ａを筒部１７の内部空間に収納された状態で固定し、アーム部２９ａ、２９ａを上側の挿通孔２１の内部に向けて配置し、パドル部３８、３８により構成された弾発保持部３０を該挿通孔２１の内部に位置させている。上顎部１８は、フランジ１３の上面に載置可能な座面１８ｂを備えた下向きの膨隆部と共に挿通孔２１を形成しているので、弾発保持部３０は、座面１８ｂと挿通孔２１の上部開口との間に収納された状態で設置される。
【００５４】
従って、スプリング手段２６Ｂは、顎金具１５の外部に露出することなく内部に保護された状態で装着され、しかも、受入部２０の内部空間に干渉しないように装着される。図例の場合、図１４に示すように、固定部２７ａの一部が受入部２０の内部に臨んでいるが、受入部２０に進入するフランジ１３の進入深さは、当接部１８ａ、１９ａが支柱１１に当接することにより規制されるので、フランジ１３の先端が衝突することはない。
【００５５】
（作用）
図１４ないし図１６は、第２実施形態に係る楔緊結装置により緊結を行うための方法と作用を示している。
【００５６】
図１４は、顎金具１５をフランジ１３の側方に臨ませた状態を示している。この際、楔部材１６は、退避位置Ｐ０に持ち上げられた状態で、スプリング手段２６により保持されている。
【００５７】
スプリング手段２６による弾発保持部３０の弾発保持力は、楔部材１６の自重による下降は阻止するが、外力による楔部材１６の上下動は許すように構成されている。
【００５８】
従って、保持された状態の楔部材１６は、作業者が指先等で持ち上げることができ、持ち上げられた楔部材１６は、脚部２５の突起２５ａがパドル部３８の弾接面３９ｃを乗り越えて上動し、該突部２５ａを嵌合部３９ａに嵌合させられる。第２実施形態の場合、この位置が楔部材１６の退避位置Ｐ０とされており、楔部材１６の脚部２５は、受入部２０の上面（座面１８ｂ）よりも上位に位置させられている。
【００５９】
この状態で、楔部材１６は、脚部２５の両側面がパドル部３８の弾接面３９ｃにより弾性的に保持されると共に、突起２５ａを嵌合部３９ａに嵌合した状態で保持されているので、アーム部２９ａの弾発力が比較的弱いときでも、楔部材１６の自重による下降を好適に防止することができる。
【００６０】
そこで、図１５に示すように、顎金具１５をフランジ１３の側方に臨ませた状態からフランジ１３に向けて横方向に移動させると、フランジ１３が好適に受入部２０に進入し、顎金具１５の座面１８ｂをフランジ１３の上面に載置することができるので、顎金具１５を横向き移動させるだけで仮置きが可能である。
【００６１】
この状態から、楔部材１６を下動すると、脚部２５の突起２５ａが嵌合部３９ａを押圧し、アーム部２９ａを離反方向Ｙ２に弾性変形することにより、パドル部３８、３８の間隔を押し広げ、これにより、楔部材１６は、両側面を弾接面３９ｃに摺擦させながら、図１６に示すように、緊結位置Ｐ２まで下降し、楔緊結を行う。
【００６２】
楔部材１６の下動は、退避位置Ｐ０に保持された楔部材１６の頭部２４をハンマーで殴打等することにより緊結位置Ｐ２まで下動させても良く、或いは、退避位置Ｐ０に保持された楔部材１６を指先等で待機位置Ｐ１まで下降させ、その後に頭部２４をハンマーで殴打等することにより緊結位置Ｐ２まで下動させても良い。
【００６３】
退避位置Ｐ０から緊結位置Ｐ２まで下動させられる間、楔部材１６は、スプリング手段２６の弾発保持部３０により所定姿勢を保持させられており、ガタツキ等により傾くことはないので、ハンマーによる殴打を容易とする。
【００６４】
図１６に示すように、緊結位置Ｐ２まで下動させられた楔部材１６は、楔部２３を緊結孔１４の接支縁部１４ａと挿通孔２１、２２の受縁部２１ａ、２２ａの間に圧入することにより、顎金具１５の当接部１８ａ、１９ａを支柱１１の表面に圧接状態で当接する。これにより、フランジ１３と楔部材１６と顎金具１５と支柱１１の相互における緊結状態が形成される。
【００６５】
尚、足場の解体等に際しては、脚部２５の下端をハンマー等により殴打して楔部材１６を上動させれば、緊結状態を解除することができる。
【００６６】
（第３実施形態）
図１７ないし図２１は、本発明の第３実施形態に係る楔緊結装置を示している。
【００６７】
（基本的構成）
第３実施形態の基本的構成は、第１実施形態の「基本的構成」について上述した構成と概ね同様であるから、同様の構成部分は上記と同一符号を付して図示しており、上述の説明を援用することにより、重複する説明を省略する。
【００６８】
（楔部材と顎金具の構成）
楔部材１６は、楔部２３と該楔部２３の上部に付設された頭部２４を備える楔構成部１６Ａと、前記楔部２３に間隔をあけて並設された枝部１６Ｂにより構成されている。上述のように、支柱１１の中心に向かう前向き方向Ｘ１と、その反対方向となる後向き方向Ｘ２に関して、楔構成部１６Ａを前側に配置し、枝部１６Ｂを後側に配置するように構成されている。尚、楔構成部１６Ａの楔部２３は、支柱１１の軸線に平行となるように形成された腹部２３ａと、傾斜するように形成された背部２３ｂを備え、その間の幅寸法を下方に向けて次第に幅狭とするように形成されている。
【００６９】
顎金具１５は、上顎部１８の挿通孔２１を前後方向に長く形成しており、前記楔構成部１６Ａと枝部１６Ｂを挿通させる。これに対して、下顎部１９の挿通孔２２は、楔用挿通孔２２Ａと枝用挿通孔２２Ｂにより構成され、楔用挿通孔２２Ａに楔構成部１６Ａを挿通させ、枝用挿通孔２２Ｂに枝部２３を挿通させるように構成している。
【００７０】
この際、楔部材１６を挿通した顎金具１５は、上顎部１８と下顎部１９の間に形成された受入部２０にフランジ１３を進入させ、上下顎部の当接部１８ａ、１９ａを支柱１１の表面に当接させたとき、楔構成部１６Ａは、フランジ１３の緊結孔１４に挿通自在とされるが、枝部１６Ｂは、フランジ１３の外側に位置させられるように構成されている。
【００７１】
後述するように、楔部材１６を持ち上げることにより、楔構成部１６Ａを退避位置Ｐ０に位置させたとき、楔部２３の下端部が受入部２３から退避して該受入部２３を開放する。ところが、この状態において、枝部１６Ｂは、下端部を枝用挿通孔２２Ｂに挿通させ、下顎部１９の下方に突出されるように構成されている。尚、枝部１６Ｂの下端部には、リベットの頭部により形成された突起４０が設けられており、枝用挿通孔２２Ｂに係止することにより、枝部１６Ｂが枝用挿通孔２２Ｂから抜取られることを防止する。
【００７２】
（スプリング手段の構成）
スプリング手段２６は、板バネを折曲することにより形成されており、顎金具１５の筒部１７に固設された軸柱４１に嵌合固定されるクリップ４２により構成された固定部２７ｂと、該固定部２７ｂから上側の挿通孔２１に向けて延びるアーム部２９ｂを備え、該アーム部２９ｂの先端に弾発保持部３０を設けている。弾発保持部３０は、アーム部２９ｂの先端から板バネを後向き方向Ｘ２に向けて開口するＵ形ないしコ形に折曲することにより形成されている。
【００７３】
前記軸柱４１は、図例の場合、鋳物製の顎金具１５に一体成形されているが、別体の部材を顎金具１５に固着したものでも良い。そこで、第３実施形態の場合、スプリング手段２６は、弾性保持部３０を枝部１６Ｂの背部に弾接することにより、楔部材１６を前向き方向Ｘ１に弾発付勢し、楔構成部１６Ａの腹部を挿通孔２１の受縁部２１ａに弾接させることにより保持するように構成され、前進スプリング手段２６Ａを構成している。
【００７４】
このように構成されたスプリング手段２６は、顎金具１５の外部に露出することなく筒部１７の内部に保護された状態で装着され、しかも、受入部２０の内部空間に干渉しないように装着される。図例の場合、楔部材１６に関して、枝部１６Ｂの一部が受入部２０に向けて臨んでいるが、受入部２０に進入するフランジ１３の進入深さは、当接部１８ａ、１９ａが支柱１１に当接することにより規制されており、フランジ１３の先端を衝突させない位置に枝部１６Ｂが配置されている。
【００７５】
（作用）
図２０及び図２１は、第３実施形態に係る楔緊結装置により緊結を行うための方法と作用を示している。
【００７６】
図２０は、顎金具１５をフランジ１３の側方に臨ませた状態を示している。この際、楔部材１６は、楔構成部１６Ａを退避位置Ｐ０に持ち上げられた状態で、スプリング手段２６により保持されている。
【００７７】
スプリング手段２６は、弾発保持部３０を枝部１６Ｂの背部に弾接することにより前向き方向Ｘ１に弾発付勢しており、楔部材１６は、楔構成部１６Ａの腹部を上側の挿通孔２１の受縁部２１ａに弾接した状態で保持されている。
【００７８】
スプリング手段２６による弾性保持部３０の弾発保持力は、楔部材１６の自重による下降は阻止するが、外力による楔部材１６の上下動は許すように構成されている。
【００７９】
従って、保持された状態の楔部材１６は、作業者が指先等で持ち上げることができ、その際、枝部１６Ｂの下端部の突起４０が枝用挿通孔２２Ｂの縁部に当接して受止められる。第３実施形態の場合、この位置が楔部材１６の退避位置Ｐ０とされており、楔構成部１６Ａの下端は、受入部２０の上面（座面１８ｂ）よりも上方に位置している。
【００８０】
そこで、顎金具１５をフランジ１３の側方に臨ませた状態からフランジ１３に向けて横方向に移動させると、フランジ１３が受入部２０に進入し、当接部１８ａ、１９ａが支柱１１の表面に当接される。この状態から、顎金具１５の座面１８ｂをフランジ１３の上面に載置すると、楔構成部１６Ａの下端が緊結孔１４に臨まされる。このとき、枝部１６Ｂは、フランジ１３の外側に位置して該フランジ１３の縁部近傍に臨まされている。
【００８１】
この状態から、楔部材１６を下動すると、楔構成部１６Ａは、図２１に示すように、待機位置Ｐ１を経て緊結位置Ｐ２まで下降し、楔緊結を行う。同時に、枝部１６Ｂが下降し、枝用挿通孔２２Ｂの下方に長く突き出すように挿出される。
【００８２】
楔部材１６の下動は、退避位置Ｐ０に保持された楔構成部１６Ａの頭部２４をハンマーで殴打等することにより緊結位置Ｐ２まで下動させても良く、或いは、退避位置Ｐ０に保持された楔構成部１６Ａを指先等で待機位置Ｐ１まで下降させ、その後に頭部２４をハンマーで殴打等することにより緊結位置Ｐ２まで下動させても良い。
【００８３】
退避位置Ｐ０から緊結位置Ｐ２まで下動させられる間、楔部材１６は、スプリング手段２６の弾発保持部３０に弾発付勢された状態で所定姿勢を保持しており、ガタツキ等により傾くことはないので、ハンマーによる殴打を容易とする。
【００８４】
図２１に示すように、緊結位置Ｐ２まで下動させられた楔部材１６は、楔部２３を緊結孔１４の接支縁部１４ａと、上側の挿通孔２１の受縁部２１ａ及び下側の楔用挿通孔２２Ａの受縁部２２ａの間に圧入することにより、顎金具１５の当接部１８ａ、１９ａを支柱１１の表面に圧接状態で当接する。これにより、フランジ１３と楔部材１６と顎金具１５と支柱１１の相互における緊結状態が形成される。
【００８５】
第３実施形態の場合、足場の解体等に際しては、枝用挿通孔２２Ｂから挿出した枝部１６Ｂの下端により被殴打部４３が形成されているので、該被殴打部４３をハンマー等により殴打することにより、楔部材１６を上動させることができるので、緊結状態を解除する作業が容易となる。
【符号の説明】
【００８６】
１１  支柱
１２  連結部材
１３  フランジ
１４  緊結孔
１４ａ  接支縁部
１５  顎金具
１６  楔部材
１６Ａ  楔構成部
１６Ｂ  枝構成部
１７  筒部
１７ａ  内側底部
１８  上顎部
１８ａ  当接部
１８ｂ  座面
１９  下顎部
１９ａ  当接部
２０  受入部
２１  上側の挿通孔
２１ａ  受縁部
２２  下側の挿通孔
２２Ａ  楔用挿通孔
２２Ｂ  枝用挿通孔
２２ａ  受縁部
２３  楔部
２３ａ  腹部
２３ｂ  背部
２４  頭部
２４ａ  突起
２５  脚部
２５ａ  突起
２６  スプリング手段
２６Ａ  前進スプリング手段
２６Ｂ  挟持スプリング手段
２６ａ  板バネ
２７、２７ａ、２７ｂ  固定部
２８  起立部
２９、２９ａ、２９ｂ  アーム部
３０  弾発保持部
３１、３２  固着具
３３  保持金具
３４  押動部
３５  保持片
３５ａ  受止め部
３６  軸部材
３７  締結具
３８  パドル部
３９ａ  嵌合部
３９ｂ  リブ
３９ｃ  弾接面
４０  突起
４１  軸柱
４２  クリップ
４３  被殴打部
【図１】
2020020127.tif 000003
【図２】
2020020127.tif 000004
【図３】
2020020127.tif 000005
【図４】
2020020127.tif 000006
【図５】
2020020127.tif 000007
【図６】
2020020127.tif 000008
【図７】
2020020127.tif 000009
【図８】
2020020127.tif 000010
【図９】
2020020127.tif 000011
【図１０】
2020020127.tif 000012
【図１１】
2020020127.tif 000013
【図１２】
2020020127.tif 000014
【図１３】
2020020127.tif 000015
【図１４】
2020020127.tif 000016
【図１５】
2020020127.tif 000017
【図１６】
2020020127.tif 000018
【図１７】
2020020127.tif 000019
【図１８】
2020020127.tif 000020
【図１９】
2020020127.tif 000021
【図２０】
2020020127.tif 000022
【図２１】
2020020127.tif 000023